(57)【要約】【課題】  本発明は、被写体を撮影した画像の露光時間を適正なものに調整することができる技術を提供することを目的とする。【解決手段】  本発明の画像処理装置は、所定の期間内で被写体を複数回撮像して得られた複数の画像を入力する入力部と、所定の期間内の所定の期間より短い時間を指定可能な時間指定部と、複数の画像のうち、指定された時間内に撮像された画像を重ね合わせることにより露光時間が調節された画像を生成する画像生成部とを備える。【選択図】      図１
2010062852.tif 000002
【特許請求の範囲】
【請求項１】
所定の期間内で被写体を複数回撮像して得られた複数の画像を入力する入力部と、
前記所定の期間内の前記所定の期間より短い時間を指定可能な時間指定部と、
前記複数の画像のうち、指定された前記時間内に撮像された画像を重ね合わせることにより露光時間が調節された画像を生成する画像生成部と
を備えることを特徴とする画像処理装置。
【請求項２】
請求項１に記載の画像処理装置において、
前記時間指定部は、前記所定の期間内における第１の時刻と第２の時刻とを指定可能であり、
前記画像生成部は、前記第１の時刻と前記第２の時刻との間に撮像された画像を重ね合わせる
ことを特徴とする画像処理装置。
【請求項３】
請求項１又は請求項２に記載の画像処理装置と、
前記複数の画像を撮像して前記入力部へ出力する撮像部と
を備えることを特徴とする電子カメラ。
【請求項４】
請求項３に記載の電子カメラにおいて、
前記複数の画像各々の撮像時における手ブレを補正する手ブレ補正部をさらに備えることを特徴とする電子カメラ。
【請求項５】
請求項３又は請求項４に記載の電子カメラにおいて、
前記撮像部は、一の画像の露光時間を前記一の画像の撮像開始から次の画像の撮像開始までの間の時間として前記複数の画像各々を撮像することを特徴とする電子カメラ。
【請求項６】
所定の期間内で被写体を複数回撮像して得られた複数の画像を入力する入力ステップと、
前記所定の期間内の前記所定の期間より短い時間を指定する時間指定ステップと、
前記複数の画像のうち、指定された前記時間内に撮像された画像を重ね合わせることにより露光時間が調節された画像を生成する画像生成ステップとの各処理を、
コンピュータに実行させることを特徴とする画像処理プログラム。
【発明の詳細な説明】
【技術分野】
【０００１】
本発明は、撮影した画像の露光時間を調整することができる画像処理装置、電子カメラ及び画像処理プログラムに関する。
【背景技術】
【０００２】
従来、夜景や花火等の光量の少ない被写体を撮影する場合、川の流れやスポーツ選手の動きの躍動感を表現して撮影する場合等において、電子カメラ等のシャッタを通常よりも長く開けるように制御して行われてきた（所謂、露光時間が長い遅いシャッタ速度による長秒露光撮影）。
【０００３】
特許文献１は、長秒露光等の撮影を行うにあたり、露光時間と同じシャッタ速度による単発の撮影を行う代わりに、より速いシャッタ速度で被写体を連続的に複数回撮影して、各撮影した画像を順次加算し、ユーザが加算された画像を液晶モニタ等で確認しながら適正な露光になったと判断した時、撮影を終了する電子カメラを開示している。
【特許文献１】特開２００５−１１７３９５号公報
【発明の開示】
【発明が解決しようとする課題】
【０００４】
しかしながら、引用文献１のような電子カメラでは、撮影終了後に取得された画像が露光不足であると判断された場合、再度、長秒露光撮影を行う必要があった。
【０００５】
上記従来技術が有する問題に鑑み、本発明の目的は、被写体を撮影した画像の露光時間を適正なものに調整することができる技術を提供することにある。
【課題を解決するための手段】
【０００６】
上記課題を解決するために、この発明の画像処理装置は、所定の期間内で被写体を複数回撮像して得られた複数の画像を入力する入力部と、所定の期間内の所定の期間より短い時間を指定可能な時間指定部と、複数の画像のうち、指定された時間内に撮像された画像を重ね合わせることにより露光時間が調節された画像を生成する画像生成部とを備える。
【０００７】
また、この発明において、時間指定部は、所定の期間内における第１の時刻と第２の時刻とを指定可能であり、画像生成部は、第１の時刻と第２の時刻との間に撮像された画像を重ね合わせる。
【０００８】
この発明の電子カメラは、この発明の画像処理装置と、複数の画像を撮像して入力部へ出力する撮像部とを備える。
【０００９】
また、この発明において、複数の画像各々の撮像時における手ブレを補正する手ブレ補正部をさらに備える。
【００１０】
また、この発明において、撮像部は、一の画像の露光時間を一の画像の撮像開始から次の画像の撮像開始までの間の時間として複数の画像各々を撮像する。
【００１１】
この発明の画像処理プログラムは、所定の期間内で被写体を複数回撮像して得られた複数の画像を入力する入力ステップと、所定の期間内の所定の期間より短い時間を指定する時間指定ステップと、複数の画像のうち、指定された時間内に撮像された画像を重ね合わせることにより露光時間が調節された画像を生成する画像生成ステップとの各処理を、コンピュータに実行させる。
【発明の効果】
【００１２】
本発明によれば、被写体を撮影した画像の露光時間を適正なものに調整することができる。
【発明を実施するための最良の形態】
【００１３】
図１は、本発明の一の実施形態に係る電子カメラ１００の構成図である。
【００１４】
電子カメラ１００は、撮像レンズ群１、光量調節部２、撮像素子３、Ａ／Ｄ変換部４、タイミングジェネレータ（ＴＧ）５、ＣＰＵ６、メモリ制御部７、画像処理部８、カードメモリ９、カードインタフェース（カードＩ／Ｆ）１０、メモリ１１、操作部材１２、表示回路１３、表示部１４、レンズ駆動部１６及び光量調節制御部１７から構成される。ＣＰＵ６、メモリ制御部７、画像処理部８、カードＩ／Ｆ１０、メモリ１１、操作部材１２及び表示回路１３は、バス１５を介して情報伝達可能に接続されている。また、撮像レンズ群１はレンズ駆動部１６を介して、光量調節部２は光量調節制御部１７を介して、そして撮像素子３及びＡ／Ｄ変換部４はＴＧ５を介して、ＣＰＵ６にそれぞれ接続され制御される。
【００１５】
撮像レンズ群１は、複数の光学レンズにより構成され、被写体の像を撮像素子３の受光面に結像する。
【００１６】
光量調節部２は、絞り機構及びシャッタ機構を備え、被写体像を撮像素子３で撮像させるために、ＣＰＵ６の指令に基づいて、被写体からの光をシャッタ速度で決まる時間（露光時間）の間、撮像素子３の方へ通す。
【００１７】
撮像素子３は、ＣＰＵ６の指令を受けてＴＧ５が発するタイミングパルスである垂直同期信号に基づいて動作し、前方に設けられた撮像レンズ群１によって結像された被写体像を取得し、画像信号に変換して出力する。撮像素子３には、ＣＣＤやＣＭＯＳの半導体のイメージセンサ等を適宜選択して用いることができる。
【００１８】
撮像素子３から出力された画像信号は、Ａ／Ｄ変換部４でデジタル信号に変換される。変換されたデジタルの画像信号は、フレームメモリ（不図示）に一時的に記録された後、メモリ制御部７又は画像処理部８へ転送される。なお、Ａ／Ｄ変換部４は、撮像素子３からのアナログ信号を、ＩＳＯ感度に応じて増幅する増幅部を有するアナログフロントエンドを備えていることが好ましい。
【００１９】
ＣＰＵ６は、ユーザによる操作部材１２の電源釦操作によって電子カメラ１００の電源が入れられると、メモリ１１に記憶されている制御プログラムを読み込み、電子カメラ１００を初期化する。ＣＰＵ６は、操作部材１２を介してユーザからの指示を受け付けると、制御プログラムに基づいて、ＴＧ５に被写体の撮像指令を出力したり、直接又はメモリ制御部７を介して画像処理部８に撮像した画像データの画像処理をさせたり、画像データのカードメモリ９やメモリ１１への記録や表示部１４への表示等の制御を行う。ＣＰＵ６は、後述する画像処理部８で行われる結果に基づいて、レンズ駆動部１６及び光量調節制御部１７の制御を実行するためのＴＴＬ（Through The Lens）方式のオートフォーカス（ＡＦ）処理、自動露光（ＡＥ）処理及びストロボプリ発光（ＥＦ）処理も行う。ＣＰＵ６には、一般的なコンピュータのＣＰＵが使用できる。
【００２０】
メモリ制御部７は、ＣＰＵ６の指示に基づいて、Ａ／Ｄ変換部４、画像処理部８、メモリ１１及び表示回路１３を制御する。そして、Ａ／Ｄ変換部４でデジタルの画像データは、メモリ制御部７又は画像処理部８を介して、メモリ１１に記録される。
【００２１】
画像処理部８は、デジタルフロントエンド回路で、Ａ／Ｄ変換部４からの画像データ又はメモリ制御部７やメモリ１１からの画像データに対して、撮影時刻の情報の付加、画素補間処理や色変換処理、分割撮影された画像の重ね合わせる加算処理等の画像処理を行う。さらに、画像処理部８は、ＡＥ評価値、ＡＦ評価値及びオートホワイトバランス（ＡＷＢ）評価値の算出とともに、ＴＴＬ方式のＡＷＢ処理も行う。
【００２２】
カードＩ／Ｆ１０には、カードメモリ９が脱着可能に装着される。メモリ１１に記録された画像は、ＣＰＵ６の指示に基づいて画像処理部８で画像処理された後、ＪＰＥＧ形式やＹＵＶ形式等のファイルとしてカードメモリ９に記録される。
【００２３】
メモリ１１は、電子カメラ１００が撮像した画像を記録したり、ＣＰＵ６が電子カメラ１００を制御するための制御プログラム等を記憶する。また、メモリ１１は、ユーザが入力したシャッタ速度より速いシャッタ速度で連写して、複数の画像を重ね合わせる分割撮影モードが選択された場合、ユーザが入力したシャッタ速度に応じた最適な連写のフレームレート（分割撮影における各回の撮影のシャッタ速度）の値の対応表も記憶する。メモリ１１に記憶されるこれらのプログラムやデータは、バス１５を介して、ＣＰＵ６から適宜参照することができる。メモリ１１には、半導体メモリのうち、任意の不揮発性メモリを適宜選択して用いることができる。
【００２４】
操作部材１２は、ユーザによる部材操作の内容に応じた操作信号をＣＰＵ６に出力する。操作部材１２には、例えば、電源釦、撮影モード等のモード設定釦及びレリーズ釦等を有する。なお、操作部材１２は、表示部１４の画面に表示されるタッチパネル形式の釦であっても良い。
【００２５】
表示部１４は、表示回路１３を介して、撮像素子３が撮像したスルー画等の動画や画像、又はモード設定画面等を表示する。さらに、表示部１４は、ＣＰＵ６の指示により任意に表示をオン／オフすることが可能である。表示をオフにした場合は、オンにした場合と比較して、電子カメラ１００の消費電力を低減できる。表示部１４には、液晶モニタ等を適宜選択して用いることができる。
【００２６】
レンズ駆動部１６は、撮像レンズ群１のフォーカシング動作及びズーミング動作を、光量調節制御部１７は、光量調節部２の絞り動作及びシャッタ動作を、画像処理部８の処理結果に基づいたＣＰＵ６の指示によってそれぞれ制御される。
【００２７】
次に、本実施形態に係る電子カメラ１００について、図２のフローチャートを参照しながら説明する。
【００２８】
ユーザにより電子カメラ１００の操作部材１２の電源釦が押されると、ＣＰＵ６は、メモリ１１に記憶されている制御プログラムを読み込む。また、ＣＰＵ６は、メモリ１１から分割撮影時の対応表も読み込む。
【００２９】
図３は、撮像素子３における画像データの蓄積及び転送のタイミングの例を示す図である。図３は、連写撮影や撮像素子３から間引き読出しをする動画撮影のような、連続して被写体の撮影を行う場合のタイミングを示している。
【００３０】
図３（ｂ）の例では、垂直同期信号の周期１Ｖ（フレームレート）に対して、撮像素子３が画像データを蓄積する蓄積時間が短い。周期１Ｖの始まりのしばらくの期間は蓄積が行われないからである。図３（ａ）の例では、周期１Ｖと撮像素子３の蓄積時間がほぼ等しい。図３（ａ）（ｂ）とも、蓄積されたデータを転送するのは、蓄積された周期の次の周期で行われるが、ともに周期１Ｖ内に転送を終了させることができる。
【００３１】
図３（ｂ）の例では、周期１Ｖ内に蓄積が開始されるまでの撮影されない空白時間が存在している。そのため、川の流れやスポーツ選手の動き等を撮影しても、上記空白時間があるために、被写体の動きがなめらかに記録されないという問題がある。図３（ａ）の例では、空白時間がないため、そのような問題は起こらない。したがって、本実施形態では、ＣＰＵ６による撮像素子３の画像データの蓄積と転送のタイミング制御は、図３（ａ）の例によるタイミングで行う。これにより、撮影されない空白時間の問題を解消することができる。また、本実施形態では、操作部材１２のレリーズ釦は、半押し状態のＳＷ１と全押し状態のＳＷ２の２つの状態があるものとする。
【００３２】
ステップＳ１０：ＣＰＵ６は、電子カメラ１００の撮像レンズ群１、光量調節部２、撮像素子３、画像処理部８、表示回路１３、表示部１４、レンズ駆動部１６及び光量調節制御部１７の各種処理のパラメータの設定値を初期化する。
【００３３】
ステップＳ１１：ＣＰＵ６は、ＴＧ５に対して、間引き読み出しによるスルー画の撮影の指令を出す。ＴＧ５は、ステップＳ１３でユーザが指定するまで、フレームレート１Ｖの初期値で、垂直同期信号のタイミングパルスを撮像素子３に発する。撮像素子３の画素の各々は、フレームレート１Ｖの時間間隔の間、撮像レンズ群１によって結像される被写体からの光を電気信号に変換して、画像データとして蓄える。ＴＧ５は、撮像素子３に、次の垂直同期信号を発して、全画素に蓄えられた電気信号を被写体の画像のアナログ信号として、Ａ／Ｄ変換部４へ転送出力させる。同時に、ＴＧ５は、撮像素子３に次の画像の電気信号の蓄積を開始させる。転送出力されたアナログ信号は、Ａ／Ｄ変換部４でデジタル信号に変換され、メモリ制御部７、バス１５及び表示回路１３を介して、表示部１４にスルー画が表示される。
【００３４】
ステップＳ１２：ＣＰＵ６は、ユーザによって操作部材１２のモード設定釦が押され、シャッタ速度等の各種設定を行う指示の割り込みがあったか否かの判定を行う。モード設定の割り込みがあった場合には、ＣＰＵ６は、ステップＳ１３（ＹＥＳ側）へ移行する。モード設定釦の割り込みがなかった場合には、ＣＰＵ６は、ステップＳ１４（ＮＯ側）へ移行する。
【００３５】
ステップＳ１３：ＣＰＵ６は、ユーザに対して、分割撮影を行うか否かを聞くとともに、操作部材１２を介して撮影のシャッタ速度の入力を受け付ける。そして、分割撮影モードが選択された場合、ＣＰＵ６は、入力されたシャッタ速度及び対応表に基づいて、分割撮影における最適なフレームレート１Ｖの値を表示部１４に表示する。ＣＰＵ６は、そのフレームレート１Ｖの値で良いか否かをユーザに聞く。操作部材１２からユーザの承諾の信号を受けると、ＣＰＵ６は、その値を電子カメラ１００のフレームレート１Ｖとして設定し、ステップＳ１１へ移行する。一方、ユーザの承諾の信号を得られなかった場合、ユーザが直接操作部材１２を用いてフレームレート１Ｖの値を入力する。ＣＰＵ６は、その値を電子カメラ１００のフレームレート１Ｖとして設定し、ステップＳ１１へ移行する。以下の説明において、本実施形態では、ユーザによって分割撮影が選択され、シャッタ速度が１秒でフレームレート１Ｖが１／３０秒として設定されたものとする。
【００３６】
なお、通常の撮影モードが選択された場合、ＣＰＵ６は、入力されたシャッタ速度による単発撮影を行うものとして電子カメラ１００を設定し、ステップＳ１１へ移行する。
【００３７】
ステップＳ１４：ＣＰＵ６は、メモリ制御部７を介して、画像処理部８に取得したスルー画からＡＥ評価値、ＡＦ評価値及びＡＷＢ評価値の算出させる。ＣＰＵ６は、電子カメラ１００の設定値を算出されたこれらの値に更新する。なお、これらの設定値は、ステップＳ１１において表示部１４に表示するスルー画や、ステップＳ１９において分割撮影した画像を重ね合わせて得られた画像に対する画像処理で用いられる。
【００３８】
ステップＳ１５：ＣＰＵ６は、操作部材１２のレリーズ釦が半押し（ＳＷ１）状態であるか否かを判定する。ＳＷ１の状態の場合には、ＣＰＵ６は、ステップＳ１６（ＹＥＳ側）へ移行する。ＳＷ１の状態でない場合には、ＣＰＵ６は、ステップＳ１１（ＮＯ側）へ移行し、ステップＳ１１〜ステップＳ１４の処理を行う。
【００３９】
ステップＳ１６：ＣＰＵ６は、ステップＳ１３において設定されたシャッタ速度及びフレームレート１Ｖに基づいて、後述するステップＳ１８で行う分割撮影時の露出制御値を決定する。本実施形態における露出制御値とは、分割撮影で画像を撮影する回数N1、１回の撮影における画像の取り込み時間TV1（図３の蓄積時間）、絞り値AV1、ＩＳＯ感度SVl、画像取り込みの時間間隔Tfps（図３のフレームレート１Ｖ）である。本実施形態では、画像取り込みの時間間隔Tfps及び画像の取り込み時間TV1は、図３（ａ）に示す制御を行うことから、フレームレート１Ｖと等しく１／３０秒とする。ＣＰＵ６は、決定した露出制御値を電子カメラ１００に設定する。
【００４０】
ステップＳ１７：ＣＰＵ６は、操作部材１２のレリーズ釦が全押し（ＳＷ２）されたか否かを判定する。ＳＷ２の状態の場合には、ＣＰＵ６は、ステップＳ１８（ＹＥＳ側）へ移行する。ＳＷ２の状態でない場合には、ＣＰＵ６は、ステップＳ１１（ＮＯ側）へ移行し、ステップＳ１１〜ステップＳ１６の処理を行う。
【００４１】
ステップＳ１８：ＣＰＵ６は、ステップＳ１６で設定した露出制御値に基づいて、ＴＧ５に対して分割撮影の指令を出す。ＴＧ５は、垂直同期信号のタイミングパルスを撮像素子３に発する。そして、撮像素子３の全画素の各々は、フレームレート１Ｖの時間間隔の間、撮像レンズ群１によって結像される被写体からの光を電気信号に変換して、画像データを蓄える。ＴＧ５は、撮像素子３に、次の垂直同期信号を発して、全画素に蓄えられた電気信号を被写体の画像のアナログ信号として転送出力させる。同時に、ＴＧ５は、撮像素子３に次の画像の電気信号の蓄積を開始させる。転送出力されたアナログ信号は、Ａ／Ｄ変換部４で、ステップＳ１６で設定したＩＳＯ値SV1に応じて増幅され、デジタル信号に変換される。メモリ制御部７の指示に基づいて、デジタル信号に変換された画像は、撮影時刻の情報を付加されてメモリ１１に記録される。この分割撮影は、ステップＳ１６で設定した回数N1の枚数の画像が取得されるまで行われる。ＣＰＵ６は、N1枚の数の画像が取得されると、分割撮影を終了しステップＳ１９へ移行する。
【００４２】
ステップＳ１９：ＣＰＵ６は、分割撮影した全ての画像データとそれに付加された撮影時刻をメモリ１１から読み込む。ＣＰＵ６は、操作部材１２を介して受け付けたユーザの指示に応じて、画像処理部８に分割撮影した画像を重ね合わせる加算処理を行わせて、Ａ×Tfps秒（Ａは、重ね合わせた画像の数を表し、１≦Ａ≦N1）のシャッタ速度で撮影されたのと同じ効果の画像５０（図４）を生成させる。ユーザに重ね合わせる画像の枚数Ａ等を指定させる方法として、本実施形態では、表示部１４に、図４に示すようなグラフィカル・ユーザ・インターフェース（ＧＵＩ）を表示して行う。具体的には、例えば、ユーザがスライドバー６０を上下に動かす操作によって、Tfps秒〜N1×Tfps秒（＝ユーザが入力したシャッタ速度）までの間で時間Ｔを指定する。ＣＰＵ６は、指定された時間ＴをTfpsで割ることで画像処理部８が重ね合わせる画像の枚数Ａが得られる。一方、ユーザがスライドバー６１を左右に動かす操作によって、重ね合わせの開始の画像が指定する。こうしたユーザによるスライドバー６０及び６１の操作に基づいて、ＣＰＵ６は、画像処理部８にＡ枚の画像を重ね合わせる加算処理を行わせ、その処理結果である画像５０を表示部１４に逐次表示する。
【００４３】
なお、本実施形態における画像処理部８は、この加算処理とともに、ステップＳ１４で求めた評価値を用いて、画像５０に対して画素補間処理や色変換処理等の画像処理を行う。さらに、加算処理を行うことにより、見かけ上のシャッタ速度の違いにより、画像５０の輝度レベルが変化してしまう。そこで、本実施形態では、画像処理部８において、画像５０を表示部１４に表示させる際に、その輝度レベルが一定になるように補正する処理も施される。これにより、輝度の異なる被写体でのダイナミックレンジ圧縮の効果が得られる。
【００４４】
ステップＳ２０：ＣＰＵ６は、適正な露光時間（シャッタ速度）の画像５０が得られたと判断して、表示部１４のＯＫ釦６２がユーザによって押されたか否かを判定する。ＯＫ釦６２が押された場合には、ＣＰＵ６は、ステップＳ２１（ＹＥＳ側）へ移行する。ＯＫ釦６２が押されていない場合には、ＣＰＵ６は、ステップＳ１９（ＮＯ側）へ移行し、ステップＳ１９の処理を行う。
【００４５】
ステップＳ２１：ＣＰＵ６は、画像５０をＪＰＥＧ形式やＹＵＶ形式等のファイルにして、バス１５とカードＩ／Ｆ１０とを介して、カードメモリ９に記録して、一連の作業を終了する。
【００４６】
このように、本実施形態では、被写体を所望のシャッタ速度で撮影するにあたり、そのシャッタ速度よりも速いシャッタ速度で連写撮影し、撮影された複数の画像を適宜重ね合わせることでシャッタ速度を調節し、適正な露光時間の画像を取得することができる。
【００４７】
また、速いシャッタ速度で連写撮影することから、従来のように、撮像レンズ群１にＮＤフィルタを装着したり、光量調節部２の絞り値を増加させる等して、光量を強制的に減らして遅いシャッタ速度で撮影しなければならなかった場面であっても、ＮＤフィルタの装着や絞り値を増やす等の必要がなくなり、連写による複数の画像を重ね合わせることで、遅いシャッタ速度で撮影したのと同じ効果の画像を容易に取得できる。
≪実施形態の補足事項≫
本実施形態では、ステップＳ１３のユーザ設定において、ユーザが入力したシャッタ速度と対応表とに基づいて、ＣＰＵ６が、分割撮影の場合のフレームレート１Ｖの時間間隔の値を示し設定するとしたが、次のようにしてもよい。例えば、メモリ１１の記憶容量に制限等がある場合、ユーザが入力したシャッタ速度と対応表とに基づいて、ＣＰＵ６が、分割撮影の場合のフレームレート１Ｖの値を示すとともに、推奨されるシャッタ速度の範囲を示す。そして、ユーザが入力したシャッタ速度が、推奨されるシャッタ速度の範囲内にある場合、ＣＰＵ６は、入力されたシャッタ速度で設定する。推奨される範囲にない場合には、ＣＰＵ６は、その範囲のうちの最長のシャッタ速度で設定するとともに、表示部１４に警告表示することが好ましい。
【００４８】
なお、本実施形態では、ステップＳ１８の分割撮影において、撮像素子３の全画素を読み出ししたが、撮像素子３を間引き読み出ししたものを画像データとしてもよい。これにより、画像の取り込み時間を短縮することが可能となるので、分割撮影におけるフレームレート１Ｖをさらに短くすることができ、加算処理において、よりきめ細かなシャッタ速度の調整が可能となる。
【００４９】
なお、本実施形態では、ステップＳ１９において、画像の重ね合わせ処理を行うにあたり、ユーザが、表示部１４に表示された２つのスライドバー６０及び６１を用いて、時間Ｔ及び開始画像を指定したが、次のようにしてもよい。例えば、ユーザが、時間Ｔと開始画像又は重ね合わせる画像の枚数Ａと開始画像とを直接入力して指定してもよい。
【００５０】
また、重ね合わせる画像の枚数Ａ及び開始画像を指定する代わりに、ユーザが、分割撮影を行った期間の範囲内で開始時刻と終了時刻とを入力してもよい。これにより、開始時刻の画像を開始画像とし、開始時刻と終了時刻との時間で撮像された画像の枚数を重ね合わせる画像の枚数Ａとすればよい。
【００５１】
なお、本実施形態では、ステップＳ１９におけるユーザのスライドバー６０及び６１の操作に応じて、加算処理された画像５０を表示部１４に逐次表示して、ユーザに選択させたが、以下のようにしてもよい。例えば、重ね合わせられる画像の枚数Ａ及び開始画像のあらゆる組み合わせについての加算処理をあらかじめ行い、処理結果の全ての画像５０を表示部１４に一覧表示させたり、スライドショウー表示させて、ユーザに選択させるようにしてもよい。
【００５２】
なお、本実施形態では、分割撮影された複数の画像をただ単に重ね合わせて画像５０を生成したが、以下のようにしてもよい。例えば、分割撮影で撮影した各画像に対して手ブレ補正を行い、その後重ね合わせ処理を行うことが好ましい。これにより、川の流れやスポーツ選手の動き等のより一層の躍動感を表現することが可能となる。
【００５３】
ブレ補正を行う場合、カメラの手振れによるブレを補正し、被写体が動いたことによるブレは補正を行わないのが好ましい。
【００５４】
そのために、分割撮影された複数の画像から動きベクトル等を求めてブレを検出する場合、検出された被写体のブレが、カメラの手振れによるものか、被写体が動いたことによるものかを判別すればよい。画像に写っている被写体全体が同じ方向にブレている場合は、手振れによるブレであり、一部分の被写体がブレている場合は、その被写体が動いたことによるブレであると判別できる。
【００５５】
なお、カメラにジャイロセンサ等の角速度センサを設けてブレを検出し、その検出結果によってブレ補正を行う場合は、そのセンサでは、カメラの手振れは検出されるが、被写体が動いたことは検出できないので、上記のような判別は行う必要はない。
【００５６】
なお、本実施形態では、加算処理された画像５０のみを、カードメモリ９に記憶させたが、本発明はこれに限定されず、画像５０とともに分割撮影された全て又は一部の画像も記憶させてもよい。
【００５７】
また、本実施形態では、電子カメラ１００は、カードＩ／Ｆ１０を有し、そのカードＩ／Ｆ１０に脱着可能なカードメモリ９を挿入して画像５０を記録したが、次のようにしてもよい。例えば、カードＩ／Ｆ１０の代わりに他のインターフェースを設けてもよい。その他のインターフェースとして、ＰＣＭＣＩＡカードやＣＦ（コンパクトフラッシュ（登録商標））カード等の規格に準拠したものを用いて構成した場合、各種通信カードのものを接続することが可能となる。この各種通信カードとしては、ＬＡＮカード、モデムカード、ＵＳＢカード、ＩＥＥＥ１３９４カード、Ｐ１２８４カード、ＳＣＳＩカード、ＰＨＳの通信カード等がある。そうしたインターフェースに、ハードディスク等を電子カメラ１００に接続して画像５０を記憶してもよい。また、そうしたインターフェースを介して、電子カメラ１００をコンピュータやプリンタ等の周辺機器に接続し、そうした周辺機器との間で画像データや画像データに付加された管理情報等を転送できるようにしてもよい。
【００５８】
なお、本実施形態では、電子カメラ１００が、ユーザの指示に基づいて、被写体を分割撮影し、撮影された複数の画像を重ね合わせる加算処理によってシャッタ速度を調節し、適正な露光時間の画像を取得したが、電子カメラによって分割撮影された複数の画像を読み込んで、ステップＳ１９〜ステップＳ２１の処理を行う画像処理装置に対しても適用可能である。
【００５９】
なお、本発明に係る画像処理装置をコンピュータで実現するためのプログラムに対しても適用可能である。
【００６０】
なお、本発明に係る画像処理装置の各工程を実現するためのコンピュータプログラムを記憶する記録媒体に対しても適用可能である。
【００６１】
なお、本発明は、その精神またはその主要な特徴から逸脱することなく他の様々な形で実施することができる。そのため、上述した実施形態はあらゆる点で単なる例示にすぎず、限定的に解釈されてはならない。さらに、特許請求の範囲の均等範囲に属する変形や変更は、全て本発明の範囲内である。
【図面の簡単な説明】
【００６２】
【図１】本発明の一の実施形態に係る電子カメラ１００の構成を示すブロック図
【図２】本実施形態の電子カメラ１００における動作のフローチャート
【図３】本実施形態における撮像素子３の蓄積及び転送のタイミングを示す図
【図４】表示部１４に表示するＧＵＩの一例を示す図
【符号の説明】
【００６３】
１  撮像レンズ群、２  光量調節部、３  撮像素子、４  Ａ／Ｄ変換部、５  ＴＧ、６  ＣＰＵ、７  メモリ制御部、８  画像処理部、９  カードメモリ、１０  カードＩ／Ｆ、１１  メモリ、１２  操作部材、１３  表示回路、１４  表示部、１５  バス、１６  レンズ駆動部、１７  光量調節制御部、１００  電子カメラ
【図１】
2010062852.tif 000003
【図２】
2010062852.tif 000004
【図３】
2010062852.tif 000005
【図４】
2010062852.tif 000006